(57)【要約】【課題】取付部品の固定強度を向上できる建具を提供すること。【解決手段】片開きドアは、上枠、下枠、戸先側縦枠および吊元側縦枠２５を枠組みして構成される枠体２と、枠体２内に開閉可能に配置される扉体３と、吊元側縦枠２５の見込み片部２６３に取り付けられる丁番３０と、丁番３０に取り付けられる固定部材４０とを備える。固定部材４０は、吊元側縦枠２５の見込み片部２６３に沿って配置されるとともに建物躯体に固定される。【選択図】図２
2017179779.tif 000002
【特許請求の範囲】
【請求項１】
枠体と、前記枠体内に配置される障子と、前記枠体に取り付けられる取付部品と、前記取付部品に取り付けられる取付片部および建物躯体に固定される固定片部を有する固定部材とを備える
ことを特徴とする建具。
【請求項２】
請求項１に記載の建具において、
前記枠体は、見込み片部を有するホロー形成部を有し、
前記ホロー形成部には、前記固定部材が挿通する挿通孔が形成され、
前記取付片部は、前記取付部品および前記見込み片部に取り付けられ、
前記取付片部は、前記挿通孔に挿通されて前記ホロー形成部によって形成されるホローに配置される
ことを特徴とする建具。
【請求項３】
請求項１に記載の建具において、
前記枠体は、見込み片部を有する室外枠材と、前記室外枠材よりも室内側に配置される室内枠材と、前記室外枠材および前記室内枠材を連結する断熱部材とを備え、
前記固定部材は、前記取付片部の室内縁部から前記枠体の見付け方向外側に折曲された折曲片部を有し、
前記取付片部は、前記取付部品および前記室外枠材の見込み片部に取り付けられ、
前記固定片部は、前記枠体の見付け方向外側における前記折曲片部の外側縁部から室内側に折曲され、
前記固定部材の取付状態では、前記取付片部は前記室外枠材の見込み片部に沿って配置されるとともに、前記折曲片部は前記断熱部材よりも室外側に配置される
ことを特徴とする建具。
【請求項４】
請求項１に記載の建具において、
前記枠体には、前記障子に当接するタイト材が取り付けられ、
前記取付片部は、前記取付部品および前記見込み片部に取り付けられ、
前記取付片部は、前記タイト材よりも室外側に配置され、
前記固定片部は、前記タイト材よりも室内側に配置される
ことを特徴とする建具。
【請求項５】
請求項１から請求項４のいずれか一項に記載の建具において、
前記枠体は、上枠、下枠、戸先側縦枠および吊元側縦枠を枠組みして構成され、
前記取付部品は、前記吊元側縦枠の見込み片部における前記障子側の面に沿って配置される丁番によって構成され、
前記取付片部は、前記吊元側縦枠の見込み片部における前記障子側の面とは反対側の面に沿って配置され、
前記取付片部に沿って裏板が設けられ、
前記吊元側縦枠の見込み片部および前記取付片部には、当該吊元側縦枠の見込み方向に沿った長孔がそれぞれ形成され、
前記丁番は、取付ねじによって前記裏板に螺合し、
前記取付ねじは、前記丁番および前記裏板間で前記吊元側縦枠の見込み片部の長孔および前記取付片部の長孔を貫通する
ことを特徴とする建具。
【請求項６】
請求項１から請求項４のいずれか一項に記載の建具において、
前記枠体は、上枠、下枠、戸先側縦枠および吊元側縦枠を枠組みして構成され、
前記取付部品は、前記戸先側縦枠の見込み片部における前記障子側の面に沿って配置されるラッチ受によって構成され、
前記取付片部は、前記戸先側縦枠の見込み片部における前記障子側の面とは反対側の面に沿って配置され、
前記ラッチ受、前記戸先側縦枠の見込み片部および前記取付片部には、前記障子に取り付けられるラッチが挿入可能な開口がそれぞれ形成される
ことを特徴とする建具。
【請求項７】
請求項１から請求項４のいずれか一項に記載の建具において、
前記枠体は、上枠、下枠および左右の縦枠を枠組みして構成され、
前記取付部品は、前記上枠および前記下枠のうちの少なくとも一方の枠材の見込み片部に取り付けられるフランス落とし受によって構成され、
前記フランス落とし受は、前記障子に取り付けられるフランス落とし棒が挿入可能な凹溝を形成する凹溝形成部を有し、
前記上枠および前記下枠のうちの少なくとも一方の枠材には、前記凹溝形成部が配置される開口が形成され、
前記取付片部は、前記上枠および前記下枠のうちの少なくとも一方の枠材の見込み片部に沿って配置され、
前記取付片部には、前記凹溝形成部が配置される切欠部が形成される
ことを特徴とする建具。
【発明の詳細な説明】
【技術分野】
【０００１】
本発明は、丁番、ラッチ受、フランス落とし受等の取付け部品の枠体への取付けを補強した建具に関する。
【背景技術】
【０００２】
従来、建具として、建物の壁の出入り口の開口縁に据え付けられる開きドアが知られている（特許文献１参照）。
この開きドアは、ドア取付け枠に蝶番によって開閉可能に連結されている。蝶番の羽根板およびドア取付け枠の見込み片部にはねじが挿通され、当該ねじがドア取付け枠内に配置された補強板にねじ止めされている。このねじ止めによって蝶番はドア取付け枠に取り付けられている。
また、前記補強板とは別部材である支持部材をドア取付け枠内に配置し、この支持部材をドア取付け枠とともに建物の壁にねじ止めすることによって、ドア取付け枠は建物の壁に固定されている。
【先行技術文献】
【特許文献】
【０００３】
【特許文献１】特開平１０−２６６７０９号公報
【発明の概要】
【発明が解決しようとする課題】
【０００４】
ところで、特許文献１に記載の開きドアでは、補強板はドア取付け枠の見込み片部に沿って配置されて蝶番がねじ止めされるだけであり、建物の壁などのドア取付け枠以外の部分には固定されていない。このため、開きドアから蝶番に加わる荷重はドア取付け枠を介して建物の壁に伝達される。これにより、蝶番などの取付部品の固定強度はドア取付け枠の強度に依存するので、取付部品の固定強度を向上することが困難である。
【０００５】
本発明の目的は、取付部品の固定強度を向上できる建具を提供することにある。
【課題を解決するための手段】
【０００６】
本発明の建具は、枠体と、前記枠体内に配置される障子と、前記枠体に取り付けられる取付部品と、前記取付部品に取り付けられる取付片部および建物躯体に固定される固定片部を有する固定部材とを備えることを特徴とする。
【０００７】
本発明の建具によれば、丁番、ラッチ受、フランス落とし受などの取付部品に取り付けられる固定部材を、建物躯体に直接固定することで、取付部品を枠体を介して建物躯体に固定する場合と比べて、取付部品の固定強度を向上できる。
【０００８】
本発明の建具では、前記枠体は、見込み片部を有するホロー形成部を有し、前記ホロー形成部には、前記固定部材が挿通する挿通孔が形成され、前記取付片部は、前記取付部品および前記見込み片部に取り付けられ、前記取付片部は、前記挿通孔に挿通されて前記ホロー形成部によって形成されるホローに配置されることが好ましい。
このような構成によれば、固定部材をホロー形成部に形成された挿通孔に挿通するだけで取付片部をホローに簡単に配置でき、例えば取付部品に取り付けられる裏板などをホロー形成部の端部から挿入する場合と比べて容易に施工できる。
また、取付片部をホローに配置することで、当該取付片部を外部から目立たない位置に配置できる。
さらに、建物躯体に固定される固定部材には、取付部品および枠体の見込み片部が取り付けられるので、火災時においても枠体を保持でき、防火性を向上できる。
【０００９】
本発明の建具では、前記枠体は、見込み片部を有する室外枠材と、前記室外枠材よりも室内側に配置される室内枠材と、前記室外枠材および前記室内枠材を連結する断熱部材とを備え、前記固定部材は、前記取付片部の室内縁部から前記枠体の見付け方向外側に折曲された折曲片部を有し、前記取付片部は、前記取付部品および前記室外枠材の見込み片部に取り付けられ、前記固定片部は、前記枠体の見付け方向外側における前記折曲片部の外側縁部から室内側に折曲され、前記固定部材の取付状態では、前記取付片部は前記室外枠材の見込み片部に沿って配置されるとともに、前記折曲片部は前記断熱部材よりも室外側に配置されることが好ましい。
このような構成によれば、前記取付片部が室外枠材の見込み片部に沿って配置されても、取付片部の室内縁部から枠体の見付け方向外側に折曲した折曲片部によって固定片部を断熱部材よりも枠体の見付け方向外側に配置することができる。これにより、枠体が室外枠材、室内枠材および断熱部材を備える断熱仕様のものであっても、固定部材を断熱部材と干渉させることなく設置できる。
また、火災時に断熱部材が焼失し、建物躯体に固定された室内枠材から室外枠材が分離されても、室外枠材は固定部材によって建物躯体に固定されているので、室外枠材の室内枠材に対する位置を維持でき、防火性を向上できる。
【００１０】
本発明の建具では、前記枠体には、前記障子に当接するタイト材が取り付けられ、前記取付片部は、前記取付部品および前記見込み片部に取り付けられ、前記取付片部は、前記タイト材よりも室外側に配置され、前記固定片部は、前記タイト材よりも室内側に配置されることが好ましい。
このような構成によれば、丁番などの取付部品をタイト材よりも室外側で取付片部に取り付けることができる一方、タイト材よりも室内側で固定片部を建物躯体に固定でき、固定片部の建物躯体への固定部分から雨水等が浸入するおそれを低減できる。
【００１１】
本発明の建具では、前記枠体は、上枠、下枠、戸先側縦枠および吊元側縦枠を枠組みして構成され、前記取付部品は、前記吊元側縦枠の見込み片部における前記障子側の面に沿って配置される丁番によって構成され、前記取付片部は、前記吊元側縦枠の見込み片部における前記障子側の面とは反対側の面に沿って配置され、前記取付片部に沿って裏板が設けられ、前記吊元側縦枠の見込み片部および前記取付片部には、当該吊元側縦枠の見込み方向に沿った長孔がそれぞれ形成され、前記丁番は、取付ねじによって前記裏板に螺合し、前記取付ねじは、前記丁番および前記裏板間で前記吊元側縦枠の見込み片部の長孔および前記取付片部の長孔を貫通することが好ましい。
このような構成によれば、取付ねじを緩めることで、丁番を吊元側縦枠および固定部材に対して吊元側縦枠の見込み方向に位置調整できる。
また、丁番が吊元側縦枠の見込み片部における障子側の面に沿って配置され、かつ、固定部材の取付片部が吊元側縦枠の見込み片部における障子側の面とは反対側の面に沿って配置されるので、取付片部が丁番に取り付けられる際に吊元側縦枠の見込み片部にも取り付けられることとなる。このため、火災時においても丁番および吊元側縦枠を固定部材によって保持でき、防火性を向上できる。
【００１２】
本発明の建具では、前記枠体は、上枠、下枠、戸先側縦枠および吊元側縦枠を枠組みして構成され、前記取付部品は、前記戸先側縦枠の見込み片部における前記障子側の面に沿って配置されるラッチ受によって構成され、前記取付片部は、前記戸先側縦枠の見込み片部における前記障子側の面とは反対側の面に沿って配置され、前記ラッチ受、前記戸先側縦枠の見込み片部および前記取付片部には、前記障子に取り付けられるラッチが挿入可能な開口がそれぞれ形成されることが好ましい。
このような構成によれば、障子側のラッチがラッチ受および戸先側縦枠に形成された開口に挿入されることに加えて、固定部材の取付片部に形成された開口にも挿入されることで、障子側のラッチとラッチ受側の戸先側縦枠との係合強度を向上できる。
また、ラッチ受が戸先側縦枠の見込み片部における障子側の面に沿って配置され、かつ、固定部材の取付片部が戸先側縦枠の見込み片部における障子側の面とは反対側の面に沿って配置されるので、取付片部がラッチ受に取り付けられる際に戸先側縦枠の見込み片部にも取り付けられることとなる。このため、火災時においてもラッチ受および戸先側縦枠を固定部材によって保持でき、防火性を向上できる。
【００１３】
本発明の建具では、前記枠体は、上枠、下枠および左右の縦枠を枠組みして構成され、前記取付部品は、前記上枠および前記下枠のうちの少なくとも一方の枠材の見込み片部に取り付けられるフランス落とし受によって構成され、前記フランス落とし受は、前記障子に取り付けられるフランス落とし棒が挿入可能な凹溝を形成する凹溝形成部を有し、前記上枠および前記下枠のうちの少なくとも一方の枠材には、前記凹溝形成部が配置される開口が形成され、前記取付片部は、前記上枠および前記下枠のうちの少なくとも一方の枠材の見込み片部に沿って配置され、前記取付片部には、前記凹溝形成部が配置される切欠部が形成されることが好ましい。
このような構成によれば、フランス落とし受の凹溝形成部を上枠および下枠のうちの少なくとも一方の枠材に形成された開口に配置した状態であっても、凹溝形成部を切欠部の開口側から当該切欠部に差し込むことで、取付片部を前記一方の枠材の見付け方向に移動させることなく固定部材を所定位置に簡単に配置できる。
また、フランス落とし受が上枠および下枠のうちの少なくとも一方の枠材に取り付けられ、このフランス落とし受に固定部材の取付片部が取り付けられるので、取付片部が前記一方の枠材にも取り付けられることとなる。このため、火災時においてもフランス落とし受および前記一方の枠材を固定部材によって保持でき、防火性を向上できる。
【発明の効果】
【００１４】
本発明によれば、取付部品の固定強度を向上できる建具を提供できる。
【図面の簡単な説明】
【００１５】
【図１】本発明の第１実施形態に係る片開きドアを示す外観姿図。
【図２】図１に示すＩＩ−ＩＩ線に沿った断面図。
【図３】第１実施形態に係る片開きドアの丁番側を展開して示す斜視図。
【図４】図１に示すＩＶ−ＩＶ線に沿った断面図。
【図５】第１実施形態に係る片開きドアのラッチ受側を展開して示す斜視図。
【図６】本発明の第２実施形態に係る親子ドアを示す外観姿図。
【図７】図６にＶＩＩ−ＶＩＩ線に沿った断面図。
【図８】第２実施形態に係る親子ドアの上方のフランス落とし受側を展開して示す斜視図。
【図９】第２実施形態に係る親子ドアの下方のフランス落とし受側を展開して示す斜視図。
【図１０】本発明の変形例に係る固定部材を示す横断面図。
【図１１】本発明の他の変形例に係る固定部材を示す横断面図。
【発明を実施するための形態】
【００１６】
［第１実施形態の構成］
以下、本発明の第１実施形態を図面に基づいて説明する。
図１において、第１実施形態に係る建具である片開きドア１は、枠体２と、枠体２内に開閉可能に配置される扉体３（障子）とを備えている。
枠体２は、上枠２１、下枠２２、戸先側縦枠２４（縦枠）および吊元側縦枠２５（縦枠）を枠組みして構成されている。上枠２１および下枠２２は断熱仕様の枠材として構成されている。吊元側縦枠２５は、複数の丁番３０（取付部品）によって扉体３の吊元側縁部に連結されている。戸先側縦枠２４には、ラッチ受６０（取付部品）が取り付けられている。扉体３の戸先側縁部には、ラッチ受６０に係合するラッチ６５が取り付けられている。ラッチ６５およびラッチ受６０は、図１に二点鎖線で示す領域Ａに配置されている。
【００１７】
吊元側縦枠２５は、図２，３に示すように、アルミ製の押出形材によって形成された室外枠材２５Ａおよび室内枠材２５Ｂと、室外枠材２５Ａおよび室内枠材２５Ｂ間に設けられたウレタン等の断熱部材２５Ｃとを備えている。
【００１８】
室外枠材２５Ａは、第一ホロー形成部２５１と、第二ホロー形成部２６１とを有している。
第一ホロー形成部２５１は、室外見付け片部２５２と、室外見付け片部２５２に連続する見込み片部２５３，２５４と、見込み片部２５３，２５４に連続する室内見付け片部２５５とを有して断面略矩形状に形成されている。室外見付け片部２５２および室内見付け片部２５５の見付け寸法は、見込み片部２５３，２５４の見込み寸法よりも長く設定されている。室外見付け片部２５２、見込み片部２５３，２５４および室内見付け片部２５５によって第一ホロー２５６が形成されている。
室内見付け片部２５５は建物躯体に固定されている。見込み片部２５３よりも吊元側縦枠２５の見付け方向外側に位置する見込み片部２５４は壁材に隣接している。
【００１９】
第二ホロー形成部２６１（ホロー形成部）は、第一ホロー形成部２５１の見込み片部２５３に連続する室外見付け片部２６２と、室外見付け片部２６２に連続する見込み片部２６３と、第一ホロー形成部２５１の室内見付け片部２５５に連続する見込み片部２６４と、見込み片部２６３，２６４に連続する室内見付け片部２６５とを有して断面略矩形状に形成されている。室外見付け片部２６２および室内見付け片部２６５の見付け寸法は、見込み片部２６３，２６４の見込み寸法よりも短く設定されている。室外見付け片部２６２、見込み片部２６３，２６４および室内見付け片部２６５と、第一ホロー形成部２５１の室内見付け片部２５５とによって第二ホロー２６６が形成されている。
室内見付け片部２６５には、断熱部材２５Ｃが係合する係合部２６５Ａが形成されており、係合部２６５Ａよりも吊元側縦枠２５の見付け方向外側には、上下方向に延びた挿通孔２６５Ｃが形成されている。
【００２０】
室内枠材２５Ｂは、見込み片部２６７と、見込み片部２６７に連続する装着片部２６８とを有しており、見込み片部２６７の室外端部には断熱部材２５Ｃが係合する係合部２６７Ａが形成されている。見込み片部２６７には、建物躯体へねじ込まれる固定ねじ７が挿通される固定孔２６７Ｂが形成されている。装着片部２６８は、見込み片部２６７から吊元側縦枠２５の見付け方向内側に延出しており、扉体３の吊元側縁部に当接するタイト材８が装着されている。ここで、タイト材８は、気密材や水密材によって形成され、本実施形態では水密材によって形成されており、枠体２の内周側において四周連続して設けられている。なお、見込み片部２６７の室内部分は壁材にビス止めされている。
【００２１】
前述した吊元側縦枠２５には、旗丁番によって構成される丁番３０（取付部品）と、金属製の固定部材４０とが取り付けられ、固定部材４０には裏板５０が沿って配置される。
丁番３０は、羽根板３１１および軸部３１２を有する雄型丁番３１と、羽根板３２１および軸穴部（図示省略）を有する雌型丁番３２とを備えており、軸部３１２は軸穴部に差し込まれている。本実施形態では、雄型丁番３１の羽根板３１１は吊元側縦枠２５に取り付けられ、雌型丁番３２の羽根板３２１は扉体３の吊元側縁部に取り付けられる。
羽根板３１１には、四つの取付孔３１３が形成されており、これらの取付孔３１３に皿ねじ等の取付ねじ３１４が挿通される。
【００２２】
固定部材４０は、取付片部４１と、折曲片部４２と、固定片部４３とを有している。
取付片部４１は、図３に示すように矩形板状に形成されており、折曲片部４２および固定片部４３よりも上下方向に長く、折曲片部４２から上下方向に延出している。
取付片部４１には、上下一対の螺合孔４１１と、上下一対の螺合孔４１１間に位置する四つの長孔４１２および上下一対の長孔４１３とが形成されている。
各長孔４１２，４１３は、吊元側縦枠２５への取付け状態で当該吊元側縦枠２５の見込み方向に沿って配置される。
上下一対の螺合孔４１１には、吊元側縦枠２５への取付ねじ１１が螺合し、四つの長孔４１２には、四つの取付ねじ３１４が挿通され、上下一対の長孔４１３には、裏板５０への取付ねじ１２が挿通される。
【００２３】
折曲片部４２は、取付片部４１の室内縁部から吊元側縦枠２５の見付け方向外側に折曲して形成されている。折曲片部４２の見付け方向寸法は、係合部２６５Ａ，２６７Ａよりの見付け方向寸法よりも長く設定されている。
【００２４】
固定片部４３は、吊元側縦枠２５の見付け方向外側に位置する折曲片部４２の外側縁部から室内側に延出している。固定片部４３には、建物躯体へねじ込まれる固定ねじ７が挿通されて螺合する固定孔４３１が形成されている。
【００２５】
裏板５０は、矩形板状に形成されており、取付ねじ１２が螺合する螺合孔５１と、四つの取付ねじ３１４が螺合する四つの螺合孔５２とが形成されている。
【００２６】
ここで、室外枠材２５Ａの見込み片部２６３には、取付ねじ１１が挿通される上下一対の取付孔２７１と、取付ねじ１２の頭部が配置される上下一対の配置孔２７２と、四つの取付ねじ３１４が挿通される四つの長孔２７３とが形成されている。配置孔２７２は吊元側縦枠２５の見込み方向に沿った長孔として形成されている。
【００２７】
丁番３０、固定部材４０および裏板５０の吊元側縦枠２５への取付手順は次の通りである。
先ず、取付ねじ１２を取付片部４１の長孔４１３に挿通し、裏板５０の螺合孔５１に螺合して、裏板５０を固定部材４０に取り付ける。
次に、固定部材４０をその取付片部４１側から室外枠材２５Ａの挿通孔２６５Ｃに挿通し、取付片部４１および折曲片部４２を第二ホロー２６６に配置する。取付片部４１は見込み片部２６３の内面に沿って配置され、折曲片部４２は室内見付け片部２６５の内面に沿って配置される。また、取付ねじ１２の頭部は配置孔２７２に配置される。続いて、取付ねじ１１を取付孔２７１に挿通し、螺合孔４１１に螺合して、取付片部４１を見込み片部２６３に取り付ける。
次に、取付ねじ３１４を雄型丁番３１の取付孔３１３に挿通し、室外枠材２５Ａの長孔２７３および取付片部４１の長孔４１２に貫通し、裏板５０の螺合孔５２に螺合して、雄型丁番３１を室外枠材２５Ａおよび固定部材４０に取り付ける。固定部材４０の取付片部４１は、タイト材８よりも室外側に配置されており、固定部材４０の固定片部４３は、タイト材８よりも室内側に延出して配置されている。
なお、雌型丁番３２は、扉体３の吊元側縁部に取り付けられており、扉体３を枠体２内に配置する際に雄型丁番３１の軸部３１２が当該雌型丁番３２の軸受穴に差し込まれる。
【００２８】
前述したように吊元側縦枠２５に丁番３０および固定部材４０を取り付けた状態で、取付ねじ１２，３１４を緩めると、丁番３０および裏板５０が室外枠材２５Ａおよび固定部材４０に対して吊元側縦枠２５の見込み方向に位置調整可能な状態となるので、丁番３０の吊元側縦枠２５に対する見込み位置の調整ができる。
また、丁番３０の見込み位置の調整後、取付ねじ１２，３１４を締めると、見込み片部２６３および取付片部４１が雄型丁番３１の羽根板３１１および裏板５０間で締め付けられて、丁番３０が不動状態で固定される。
【００２９】
以上の吊元側縦枠２５は、室外枠材２５Ａの室内見付け片部２５５が建物躯体の室外面側に固定され、かつ、固定ねじ７が室内枠材２５Ｂの固定孔２６７Ｂから固定片部４３の固定孔４３１および建物躯体の見込み面側にねじ込まれることによって、建物躯体に固定される。
【００３０】
戸先側縦枠２４は、図４，５に示すように。吊元側縦枠２５と略同様に形成されており、左右逆向きに配置されているので、吊元側縦枠２５の各構成と同符号を適宜付す。
ただし、戸先側縦枠２４の見込み片部２６３には、配置孔２７２および長孔２７３は形成されておらず、ラッチ６５が挿入可能な開口２４１が上下一対の取付孔２７１間の位置に形成されている。
【００３１】
前述した戸先側縦枠２４には、ラッチ受６０（取付部品）と、金属製の固定部材７０とが取り付けられる。
ラッチ受６０は、ラッチ６５が挿入可能な開口６３が形成された本体片部６１と、本体片部６１の室外縁部から折曲された折曲片部６２とを有して断面略Ｌ字状に形成されている。本体片部６１の開口６３よりも上方および下方には、戸先側縦枠２４の見込み方向に沿って延びた取付孔６４がそれぞれ形成されている。
【００３２】
固定部材７０は、固定部材４０と略同様に形成されており、左右逆向きに配置されているので、固定部材４０の各構成と同符号を適宜付す。
ただし、固定部材７０の取付片部４１には、長孔４１２，４１３が形成されておらず、ラッチ６５が挿入可能な開口７１が上下一対の螺合孔４１１間の位置に形成されている。
【００３３】
ラッチ受６０および固定部材７０は、取付ねじ１１をラッチ受６０の取付孔６４に挿通し、戸先側縦枠２４の見込み片部２６３の取付孔２７１に挿通し、固定部材７０の螺合孔４１１に螺合して、戸先側縦枠２４の室外枠材２５Ａに取り付けられる。この取付状態では、ラッチ受６０の本体片部６１は戸先側縦枠２４の見込み片部２６３に沿って配置され、ラッチ受６０の折曲片部６２は戸先側縦枠２４の室外見付け片部２６２に沿って配置される。固定部材７０の取付片部４１は、タイト材８よりも室外側に配置されており、固定部材７０の固定片部４３は、タイト材８よりも室内側に延出して配置されている。
ここで、取付ねじ１１を緩めると、ラッチ受６０を取付孔６４に沿って戸先側縦枠２４の見込み方向に位置調整可能となり、ラッチ受６０の見込み位置を調整できる。
ラッチ受６０の見込み位置調整後、取付ねじ１１を締めると、ラッチ受６０は戸先側縦枠２４の見込み片部２６３に対して不動状態で固定される。
【００３４】
以上の戸先側縦枠２４は、その室外枠材２５Ａの室内見付け片部２５５が建物躯体の室外面側に固定され、かつ、固定ねじ７が室内枠材２５Ｂの固定孔２６７Ｂから固定片部４３の固定孔４３１および建物躯体の見込み面側にねじ込まれることによって、建物躯体に固定される。
【００３５】
［第１実施形態の効果］
（１）本実施形態では、片開きドア１は、枠体２と、枠体２内に配置される扉体３と、枠体２に取り付けられる丁番３０およびラッチ受６０と、丁番３０に取り付けられる取付片部４１および建物躯体に固定される固定片部４３を有する固定部材４０と、ラッチ受６０に取り付けられる取付片部４１および建物躯体に固定される固定片部４３を有する固定部材７０とを備え、固定部材４０，７０は、建物躯体に固定されることを特徴とする。
上記構成を有するため、丁番３０およびラッチ受６０に取り付けられる固定部材４０，７０を、建物躯体に直接固定することで、丁番３０およびラッチ受６０を枠体２を介して建物躯体に固定する場合と比べて、丁番３０およびラッチ受６０の固定強度を向上できる。
さらに、本実施形態では、以下の各効果を発揮できる。
（２）枠体２は、見込み片部２６３を有する第二ホロー形成部２６１を有し、第二ホロー形成部２６１には、固定部材４０，７０が挿通する挿通孔２６５Ｃが形成され、固定部材４０の取付片部４１は、丁番３０および見込み片部２６３に取り付けられ、固定部材７０の取付片部４１は、ラッチ受６０および見込み片部２６３に取り付けられ、取付片部４１は、挿通孔２６５Ｃに挿通されて第二ホロー形成部２６１によって形成される第二ホロー２６６に配置される。
このため、固定部材４０，７０を第二ホロー形成部２６１に形成された挿通孔２６５Ｃに挿通するだけで取付片部４１を第二ホロー２６６に簡単に配置でき、例えば取付部品に取り付けられる裏板などを第二ホロー形成部２６１の端部から挿入する場合と比べて容易に施工できる。
また、取付片部４１を第二ホロー２６６に配置することで、当該取付片部４１を外部から目立たない位置に配置できる。
さらに、建物躯体に固定される固定部材４０，７０には、丁番３０および枠体２の見込み片部２６３が取り付けられるので、火災時においても枠体２を保持でき、防火性を向上できる。
（３）枠体２は、見込み片部２６３を有する室外枠材２５Ａと、室外枠材２５Ａよりも室内側に配置される室内枠材２５Ｂと、室外枠材２５Ａおよび室内枠材２５Ｂを連結する断熱部材２５Ｃとを備え、固定部材４０，７０は、各取付片部４１の室内縁部から枠体２の見付け方向外側に折曲された折曲片部４２を有し、固定部材４０の取付片部４１は、丁番３０および室外枠材２５Ａの見込み片部２６３に取り付けられ、固定部材７０の取付片部４１は、ラッチ受６０および室外枠材２５Ａの見込み片部２６３に取り付けられ、固定部材４０，７０の固定片部４３は、枠体２の見付け方向外側における折曲片部４２の外側縁部から室内側にそれぞれ折曲され、固定部材４０，７０の取付状態では、取付片部４１は室外枠材２５Ａの見込み片部２６３に沿って配置されるとともに、折曲片部４２は断熱部材２５Ｃよりも室外側に配置される。
このため、取付片部４１が室外枠材２５Ａの見込み片部２６３に沿って配置されても、取付片部４１の室内縁部から枠体２の見付け方向外側に折曲した折曲片部４２によって固定片部４３を断熱部材２５Ｃよりも枠体２の見付け方向外側に配置することができる。これにより、枠体２が室外枠材２５Ａ、室内枠材２５Ｂおよび断熱部材２５Ｃを備える断熱仕様のものであっても、固定部材４０，７０を断熱部材２５Ｃと干渉させることなく設置できる。
また、火災時に断熱部材２５Ｃが焼失し、建物躯体に固定された室内枠材２５Ｂから室外枠材２５Ａが分離されても、室外枠材２５Ａは固定部材４０，７０によって建物躯体に固定されているので、室外枠材２５Ａの室内枠材２５Ｂに対する位置を維持でき、防火性を向上できる。
（４）枠体２には、扉体３に当接するタイト材８が取り付けられ、固定部材４０の取付片部４１は、丁番３０および見込み片部２６３に取り付けられ、固定部材７０の取付片部４１は、ラッチ受６０および見込み片部２６３に取り付けられ、各取付片部４１は、タイト材８よりも室外側に配置され、各固定片部４３は、タイト材８よりも室内側に配置される（室内側に延出して配置される）。
このため、丁番３０およびラッチ受６０をタイト材８よりも室外側で取付片部４１に取り付けることができる一方、タイト材８よりも室内側で固定片部４３を建物躯体にねじ止めでき、当該ねじ止め部分から雨水等が浸入するおそれを低減できる。
（５）吊元側縦枠２５の見込み片部２６３における扉体３側の面（外面）に沿って丁番３０が配置され、固定部材４０の取付片部４１は、吊元側縦枠２５の見込み片部２６３における扉体３側の面とは反対側の面（内面）に沿って配置され、取付片部４１に沿って裏板５０が設けられ、吊元側縦枠２５の見込み片部２６３および取付片部４１には、当該吊元側縦枠２５の見込み方向に沿った長孔２７３，４１２がそれぞれ形成され、丁番３０は、取付ねじ３１４によって裏板５０に螺合し、取付ねじ３１４は、丁番３０および裏板５０間で長孔２７３，４１２を貫通する。
このため、取付ねじ３１４を緩めることで、丁番３０を吊元側縦枠２５および固定部材４０に対して吊元側縦枠２５の見込み方向に位置調整できる。
また、取付片部４１が丁番３０に取り付けられる際に吊元側縦枠２５の見込み片部２６３にも取り付けられることとなる。このため、火災時においても丁番３０および吊元側縦枠２５を固定部材４０によって保持でき、防火性を向上できる。
（６）戸先側縦枠２４の見込み片部２６３における扉体３側の面（外面）に沿ってラッチ受６０が配置され、固定部材７０の取付片部４１は、戸先側縦枠２４の見込み片部２６３における扉体３側の面とは反対側の面（内面）に沿って配置され、ラッチ受６０、戸先側縦枠２４の見込み片部２６３および取付片部４１には、扉体３に取り付けられるラッチ６５が挿入可能な開口６３，２４１，７１がそれぞれ形成される。
このため、扉体３側のラッチ６５がラッチ受６０および戸先側縦枠２４に形成された開口６３，２４１に挿入されることに加えて、固定部材７０の取付片部４１に形成された開口７１にも挿入されることで、扉体３側のラッチ６５とラッチ受６０側の戸先側縦枠２４との係合強度を向上できる。
また、取付片部４１がラッチ受６０に取り付けられる際に戸先側縦枠２４の見込み片部２６３にも取り付けられることとなる。このため、火災時においてもラッチ受６０および戸先側縦枠２４を固定部材７０によって保持でき、防火性を向上できる。
（７）固定部材４０，７０によって丁番３０およびラッチ受６０を建物躯体に固定するとともに、当該固定部材４０，７０によって戸先側縦枠２４および吊元側縦枠２５を建物躯体に固定する。このため、固定部材４０，７０のほかに、枠体２の建物躯体への固定を補強する補強部品を増設する必要がなく、部品点数の増加を抑えることができる。
【００３６】
［第２実施形態の構成］
以下、本発明の第２実施形態を図面に基づいて説明する。
図６〜図９において、第２実施形態に係る建具である親子ドア１Ａは、枠体２Ａと、枠体２Ａ内に開閉可能に配置される大小二枚の扉体３Ａ，３Ｂ（障子）とを備えて両開き式のドアを構成している。扉体３Ａは、扉体３Ｂよりも大きな縦横寸法に設定されている。
【００３７】
枠体２Ａは、上枠８１、下枠８２および左右の縦枠８４，８５を枠組みして構成されている。左右の縦枠８４，８５は、互いに同様に形成されて左右逆向きに配置されている。左右の縦枠８４，８５は、前述した戸先側縦枠２４と同様に形成されて丁番３０および固定部材４０が取り付けられているので、これらの説明を省略する。
図６において右側に示す縦枠８５は、複数の丁番３０によって扉体３Ａの吊元側縁部に連結されている。図６において左側に示す縦枠８４は、複数の丁番３０によって扉体３Ｂの吊元側縁部に連結されている。
【００３８】
扉体３Ａ，３Ｂは各丁番３０を中心として回動して室外側に向かって両開き（観音開き）で開く構成とされている。扉体３Ａ，３Ｂの上縁部および下縁部にはフランス落とし棒９５が設けられている。上下のフランス落とし棒９５は、扉体３Ａ，３Ｂの閉鎖状態における突合せ側に配置されている。上枠８１には、上側のフランス落とし棒９５に上下方向に対向して位置するフランス落とし受９０（取付部品）が取り付けられており、下枠８２には、下側のフランス落とし棒９５に上下方向に対向して位置するフランス落とし受９０（取付部品）が取り付けられている。フランス落とし受９０およびフランス落とし棒９５は、図６に二点鎖線で示す各領域Ｂに配置されている。
【００３９】
上枠８１は、図７に示すように、アルミ製の押出形材によって形成された室外枠材８１Ａおよび室内枠材８１Ｂと、室外枠材８１Ａおよび室内枠材８１Ｂを連結するウレタン等の断熱部材８１Ｃとを備えている。
【００４０】
室外枠材８１Ａは、ホロー形成部８１１と、ホロー形成部８１１の室外側から立ち上げられた立上げ片部８１９とを有している。立上げ片部８１９にはカバー材８２０が装着されており、カバー材８２０は壁材に隣接している。
ホロー形成部８１１は、室外見付け片部８１２と、室外見付け片部８１２に連続する見込み片部８１３，８１４と、見込み片部８１３，８１４に連続する室内見付け片部８１５とを有して断面略矩形状に形成されている。室外見付け片部８１２および室内見付け片部８１５の見付け寸法は、見込み片部８１３，８１４の見込み寸法よりも短く設定されている。室外見付け片部８１２、見込み片部８１３，８１４および室内見付け片部８１５によってホロー８１６が形成されている。
室内見付け片部８１５には、断熱部材８１Ｃが係合する係合部８１５Ａが形成されており、係合部８１５Ａよりも上側には、左右方向に延びた挿通孔８１５Ｃが形成されている。
【００４１】
見込み片部８１３には、取付ねじ１１が挿通される左右一対の取付孔８２１と、左右の一対の取付孔８２１間に位置する開口８２２とが形成されている。開口８２２には、フランス落とし受９０の凹溝形成部９２が挿入可能な開口寸法とされている。
【００４２】
室内枠材８１Ｂは、見込み片部８１７と、見込み片部８１７に連続する装着片部８１８とを有しており、見込み片部８１７の室外端部には断熱部材８１Ｃが係合する係合部８１７Ａが形成されている。見込み片部８１７には、建物躯体へねじ込まれる固定ねじ７が挿通される固定孔８１７Ｂが形成されている。装着片部８１８は、見込み片部８１７から下方に延出しており、扉体３Ａ，３Ｂの上縁部に当接するタイト材８が装着されている。なお、見込み片部８１７の室内部分は壁材にビス止めされている。
【００４３】
前述した上枠８１には、フランス落とし受９０（取付部品）と、金属製の固定部材１００とが取り付けられる。
フランス落とし受９０は、図８に示すように、矩形板状の基部９１と、基部９１に設けられる凹溝形成部９２と、凹溝形成部９２の間にして基部９１に形成された一対の取付孔９３とを有している。取付孔９３は長孔によって形成されている。凹溝形成部９２は、フランス落とし棒９５が配置される凹溝を形成している。
【００４４】
固定部材１００は、固定部材４０と略同様に形成されているので、固定部材４０の各構成と同符号を適宜付す。
ただし、固定部材１００の取付片部４１には、長孔４１２，４１３が形成されておらず、フランス落とし受９０の凹溝形成部９２が挿入可能な切欠部１０１が左右一対の螺合孔４１１間の位置に形成されている。切欠部１０１は、取付片部４１の室外縁部で開口している。
この固定部材１００は、取付片部４１側から挿通孔８１５Ｃに挿通されることで、取付片部４１および折曲片部４２をホロー８１６に配置される。取付片部４１は見込み片部８１３の内面に沿って配置され、折曲片部４２は室内見付け片部８１５の内面に沿って配置される。固定部材１００の取付片部４１は、タイト材８よりも室外側に配置されており、固定部材１００の固定片部４３は、タイト材８よりも室内側に延出して配置されている。
ここで、固定部材１００には前述した切欠部１０１が形成されているので、フランス落とし受９０の凹溝形成部９２がホロー８１６に配置された状態のままで、固定部材１００を挿通孔８１５Ｃに挿通して配置でき、また、固定部材１００を挿通孔８１５Ｃから抜出できる。
【００４５】
フランス落とし受９０および固定部材１００は、取付ねじ１１をフランス落とし受９０の取付孔９３に挿通し、上枠８１の見込み片部８１３の取付孔８２１に挿通し、固定部材１００の螺合孔４１１に螺合して、上枠８１の室外枠材８１Ａに取り付けられる。この取付状態では、フランス落とし受９０の基部９１は上枠８１の見込み片部８１３の外面に沿って配置され、凹溝形成部９２は上枠８１の開口８２２および固定部材１００の切欠部１０１に配置される。
ここで、取付ねじ１１を緩めると、フランス落とし受９０を取付孔９３に沿って位置調整できる。フランス落とし受９０の位置調整後、取付ねじ１１を締めると、フランス落とし受９０は上枠８１の見込み片部８１３に対して不動状態で固定される。
【００４６】
以上の上枠８１は、その室外枠材８１Ａの立上げ片部８１９が建物躯体の室外面側に固定され、かつ、固定ねじ７が室内枠材８１Ｂの固定孔８１７Ｂおよび固定片部４３の固定孔４３１に挿通されて建物躯体の見込み面側にねじ込まれることによって建物躯体に固定される。
【００４７】
下枠８２は、図７に示すように、アルミ製の押出形材によって形成されている。下枠８２は、見込み片部８３１と、見込み片部８３１の室外端部から垂下された室外片部８３２と、見込み片部８３１の室内端部に連続する室内片部８３３とを有している。室内片部８３３は下枠８２の見付け方向に沿って配置されており、室内片部８３３の上部には、扉体３Ａ，３Ｂの下縁部に当接するタイト材８が装着されている。また、室内片部８３３には、樹脂製カバー材８２４が装着されているカバー装着部８２５が室内側に延出して形成されている。
見込み片部８３１には、前述した上枠８１の室外枠材８１Ａの見込み片部８１３と同様に、左右一対の取付孔８２１および開口８２２が形成されている。
【００４８】
前述した下枠８２には、図７，９に示すように、フランス落とし受９０と、金属製の固定部材１００Ａとが取り付けられる。固定部材１００Ａは、前述した固定部材１００と略同様に形成されているが、固定孔４３１が固定部材１００のものよりも大きな径寸法とされている。
【００４９】
フランス落とし受９０および固定部材１００Ａは、取付ねじ１１をフランス落とし受９０の取付孔９３に挿通し、下枠８２の見込み片部８３１の取付孔８２１に挿通し、固定部材１００Ａの螺合孔４１１に螺合して、下枠８２の見込み片部８３１に取り付けられる。この取付状態では、フランス落とし受９０の基部９１は下枠８２の見込み片部８３１の外面に沿って配置され、凹溝形成部９２は下枠８２の開口８２２および固定部材１００Ａの切欠部１０１に配置される。固定部材１００Ａの取付片部４１は、タイト材８よりも室外側に配置されており、固定部材１００Ａの固定片部４３は、タイト材８よりも室内側に延出して配置されている。
ここで、取付ねじ１１を緩めると、フランス落とし受９０を取付孔９３に沿って位置調整できる。フランス落とし受９０の位置調整後、取付ねじ１１を締めると、フランス落とし受９０は下枠８２の見込み片部８３１に対して不動状態で固定される。
なお、図７に示すように、固定部材１００Ａの固定片部４３にはナットが溶接されており、このナットに螺合して固定孔４３１に挿通されるボルト（図示省略）によって固定部材１００Ａは建物躯体に固定される。
【００５０】
［第２実施形態の効果］
（１）本実施形態では、枠体２Ａは、上枠８１、下枠８２および左右の縦枠８４，８５を枠組みして構成され、上枠８１および下枠８２の見込み片部８１３，８３１には、フランス落とし受９０が取り付けられ、フランス落とし受９０は、扉体３Ａ，３Ｂに取り付けられるフランス落とし棒９５が挿入可能な凹溝を形成する凹溝形成部９２を有し、上枠８１および下枠８２には、凹溝形成部９２が配置される開口８２２が形成され、固定部材１００の取付片部４１は、上枠８１の見込み片部８１３に沿って配置され、固定部材１００Ａの取付片部４１は、下枠８２の見込み片部８３１に沿って配置され、各取付片部４１には、凹溝形成部９２が配置される切欠部１０１が形成される。
このため、フランス落とし受９０の凹溝形成部９２を上枠８１および下枠８２に形成された開口８２２に配置した状態であっても、凹溝形成部９２を切欠部１０１の開口側から当該切欠部１０１に差し込むことで、取付片部４１を上下方向に移動させることなく固定部材１００，１００Ａを所定位置に簡単に配置できる。
また、フランス落とし受９０が上枠８１および下枠８２に取り付けられ、フランス落とし受９０に固定部材１００，１００Ａの各取付片部４１が取り付けられるので、各取付片部４１が上枠８１および下枠８２にも取り付けられることとなる。このため、火災時においてもフランス落とし受９０および上枠８１、下枠８２を固定部材１００，１００Ａによって保持でき、防火性を向上できる。
（２）上記のほか、固定部材１００，１００Ａの固定片部４３が建物躯体に固定されるため、各フランス落とし受９０の取付け強度と上枠８１および下枠８２の固定強度とを向上できる。また、上枠８１および下枠８２に対して固定部材１００，１００Ａのほかに建物躯体への固定を補強する補強部品を増設する必要がなく、部品点数の増加を抑えることができる。
（３）親子ドア１Ａの左右の縦枠８４，８５は、前述した吊元側縦枠２５と同様に形成されて丁番３０および固定部材４０が取り付けられているので、前述同様に、丁番３０の取付け強度を向上できるとともに、縦枠８４，８５の建物躯体への固定強度を向上できる。また、固定部材４０のほかに建物躯体への固定を補強する補強部品を増設する必要がなく、部品点数の増加を抑えることができる。
【００５１】
［変形例］
本発明は、以上の実施形態で説明した構成のものに限定されず、本発明の目的を達成できる範囲での変形例は、本発明に含まれる。
例えば、前記実施形態では、固定部材４０に沿って裏板５０を設けて丁番３０を取り付けているが、これに限られず、例えば図１０に示すように裏板５０の構成を省略してもよい。この場合、固定部材４０には、長孔４１２に代えて取付ねじ３１４が螺合する螺合孔が形成される。
【００５２】
前記実施形態では、吊元側縦枠２５や縦枠８４，８５は、室外枠材２５Ａおよび室内枠材２５Ｂ間に断熱部材２５Ｃを介在させて構成され、固定部材４０は折曲片部４２を有して構成されているが、これに限られない。例えば図１１に示すように、吊元側縦枠２５が断熱部材２５Ｃを備えずにアルミ製の押出形材によって一体に形成された枠材であってもよく、固定部材４０は、折曲片部４２の構成をなくし、取付片部４１に固定片部４３が連続した構成とされてもよい。縦枠８４，８５についても同様である。
また、戸先側縦枠２４および上枠８１も同様に断熱部材２５Ｃを備えずにアルミ製の押出形材によって一体に形成された枠材であってもよく、この場合には、固定部材７０，１００の折曲片部４２の構成をなくし、取付片部４１に固定片部４３が連続した構成とされてもよい。
【００５３】
前記実施形態では、上枠８１、各縦枠２４，２５，８４，８５には各ホロー形成部２６１，８１１が構成されているが、これに限られず、各ホロー形成部２６１，８１１が構成されていなくてもよい。この場合には、上枠８１、各縦枠２４，２５，８４，８５は見込み片部８１３，２６３を有して構成される。
【００５４】
前記実施形態では、固定部材７０の取付片部４１には孔からなる開口２４１が形成されているが、これに限られず、例えば切欠部が形成されていてもよい。
また、固定部材１００，１００Ａの取付片部４１には切欠部１０１が形成されているが、これに限られず、孔からなる開口が形成されていてもよい。
【００５５】
前記実施形態では、枠体２，２Ａを介さずに建物躯体に直接固定される固定部材４０，７０，１００，１００Ａを説明したが、これに限られず、枠体２，２Ａを介して建物躯体に直接固定される固定部材であってもよい。例えば、枠体２，２Ａの見込み片部を建物躯体との間で挟んで当該建物躯体にねじ止めされる固定部材であってもよい。この場合には、一つの固定部材によって取付部品の固定強度を向上できるとともに枠体自体の剛性を高めることができる。
【００５６】
第１実施形態では建具として片開きドア１を説明し、第２実施形態では建具として親子ドア１Ａ（両開きドア）を説明したが、このほかの建具としては、引き違い窓、上げ下げ窓、引戸、ＦＩＸ窓、縦すべり出し窓、すべり出し窓、突出し窓、内倒し窓、外倒し窓、開き戸、折れ戸などであってもよい。
また、取付部品として丁番３０、ラッチ受６０およびフランス落とし受９０を説明したが、このほかの取付部品としては、錠受、カムラッチ受、グレモン受、オペレーター構成部品などであってもよい。
【符号の説明】
【００５７】
１…片開きドア（建具）、１Ａ…親子ドア（建具）、１０１…切欠部、１１，１２，３１４…取付ねじ、２，２Ａ…枠体、２１，８１…上枠、２２，８２…下枠、２４…戸先側縦枠、２５…吊元側縦枠、２５１…第一ホロー形成部、２５２，２６２，８１２…室外見付け片部、２５３，２５４，２６３，２６４，２６７，８１３，８１４，８１７，８３１…見込み片部、２５５，２６５，８１５…室内見付け片部、２５６…第一ホロー、２５Ａ，８１Ａ…室外枠材、２５Ｂ，８１Ｂ…室内枠材、２５Ｃ，８１Ｃ…断熱部材、２６１…第二ホロー形成部（ホロー形成部）、２６５Ａ，２６７Ａ，８１５Ａ，８１７Ａ…係合部、２６５Ｃ，８１５Ｃ…挿通孔、２６６…第二ホロー、２６７Ｂ…固定孔、２６８…装着片部、２７２…配置孔、２７３，４１２，４１３…長孔、３，３Ａ，３Ｂ…扉体（障子）、３０…丁番（取付部品）、３１…雄型丁番、３１１…羽根板、３１２…軸部、３２…雌型丁番、３２１…羽根板、４０，７０，１００，１００Ａ…固定部材、４１…取付片部、４１１…螺合孔、５１，５２…螺合孔、４２，６２…折曲片部、４３…固定片部、４３１，８１７Ｂ…固定孔、５０…裏板、６０…ラッチ受（取付部品）、６１…本体片部、６３，７１，２４１，８２２…開口、６４，９３，２７１，３１３，８２１…取付孔、６５…ラッチ、７…固定ねじ、８…タイト材、８１１…ホロー形成部、８１６…ホロー、８１８…装着片部、８１９…立上げ片部、８２０…カバー材、８２４…樹脂製カバー材、８２５…カバー装着部、８３２…室外片部、８３３…室内片部、８４，８５…縦枠、９０…フランス落とし受（取付部品）、９１…基部、９２…凹溝形成部、９５…フランス落とし棒、Ａ，Ｂ…領域。
【図１】
2017179779.tif 000003
【図２】
2017179779.tif 000004
【図３】
2017179779.tif 000005
【図４】
2017179779.tif 000006
【図５】
2017179779.tif 000007
【図６】
2017179779.tif 000008
【図７】
2017179779.tif 000009
【図８】
2017179779.tif 000010
【図９】
2017179779.tif 000011
【図１０】
2017179779.tif 000012
【図１１】
2017179779.tif 000013